(57)【要約】【課題】簡素な構成で押し込み部を押す操作がしやすいスイッチ装置を提供する。【解決手段】筐体１１と、前記筐体に設けられ、少なくとも２つの押し込み部１７を備えた押圧体１３と、弾性体で構成され、前記筐体１１から延出するコード９の周囲を囲んで前記筐体１１に設けられ、前記各押し込み部１７のうちの少なくとも１つの押し込み部１７が押されたときに、一部が前記押された押し込み部１７に反力を付与するブッシュ１５とを有する。【選択図】図３
2012113978.tif 000002
【特許請求の範囲】
【請求項１】
筐体と、
前記筐体に設けられ、少なくとも２つの押し込み部を備えた押圧体と、
弾性体で構成され、前記筐体から延出するコードの周囲を囲んで前記筐体に設けられ、前記各押し込み部のうちの少なくとも１つの押し込み部が押されたときに、一部が前記押された押し込み部に反力を付与するブッシュと、
を有することを特徴とするスイッチ装置。
【請求項２】
請求項１に記載のスイッチ装置において、
前記筐体内には基板が設けられており、
前記反力を付与する前記ブッシュの部位は、前記基板と前記押し込み部との間に設けられていることを特徴とするスイッチ装置。
【請求項３】
請求項１に記載のスイッチ装置において、
前記筐体内には基板が設けられており、
前記押圧体は、第１の押し込み部と第２の押し込み部とこれらの押し込み部の間に設けられているリブとを備えており、
前記反力を付与する前記ブッシュの部位は、前記基板と前記押し込み部との間に設けられており、
前記基板と前記リブとの間には弾性体が設けられていることを特徴とするスイッチ装置。
【請求項４】
請求項１に記載のスイッチ装置において、
前記筐体内には基板が設けられており、
前記ブッシュの先端部側の部位が前記基板の一部を挟み込んでおり、この挟み込んでいる部位のうちの一方の側の部位が、前記基板と前記押し込み部との間に位置して、前記反力を発生する前記ブッシュの部位を構成していることを特徴とするスイッチ装置。
【発明の詳細な説明】
【技術分野】
【０００１】
本発明は、スイッチ装置に係り、たとえば、ヘッドセットに用いられるものに関する。
【背景技術】
【０００２】
従来、独立した３つボタンが縦方向（長手方向）に並んで設けられているスイッチ装置を備えたコントローラ付きのヘッドホンが知られている。
【０００３】
上記従来のスイッチ装置では、上記各ボタンが独立して設けてあるか、もしくは、図８で示す従来のスイッチ装置２００ように、上記各ボタンを、細長い押圧体２０８の長手方向に並べて設けてある。
【０００４】
図８で示す従来のスイッチ装置２００について詳しく説明すると、スイッチ装置２００は、細長い押圧体２０８の長手方向に押し込み部（ボタンに相当するもの）２０２，２０４，２０６を並べて３つ設けてある。また、各押し込み部２０２，２０４，２０６の間にリブ２１０を設けてある。そして、３つの押し込み部２０２，２０４，２０６を選択して押すようになっている。
【０００５】
なお、図８における参照符号２１２は、スイッチ装置２００の筐体であり、参照符号２１４は、スイッチ装置２００の基板であり、参照符号２１６は、スイッチ装置２００のブッシュであり、参照符号２１８は、コードであり、参照符号２２０は、スイッチ部である。
【０００６】
また、上記従来の技術に関する文献として、たとえば、特許文献１を掲げることができる。
【先行技術文献】
【特許文献】
【０００７】
【特許文献１】特開２００４−９５３２３号公報
【発明の概要】
【発明が解決しようとする課題】
【０００８】
ところで、従来のスチッチ装置では、押し込み部を押す操作がしにくいという問題がある。すなわち、各押し込み部を押すときに、押圧体が弾性変形するのであるが、両脇の押し込み部を押すときに要する力に比べて、リブの間に存在している真ん中の押し込み部を押すときに要する力が大きくなり、スイッチの操作時において違和感が発生する。また、押し込み位置がすれた場合には、同時に２つの押し込み部を押してしまうという弊害がある。また、独立した３つボタンを設ける構成では、装置の構成が煩雑になってしまう。
【０００９】
本発明は、上記問題点に鑑みてなされたものであり、簡素な構成で押し込み部を押す操作がしやすいスイッチ装置を提供することを目的とする。
【課題を解決するための手段】
【００１０】
第１の発明は、筐体（１１）と、前記筐体に設けられ、少なくとも２つの押し込み部（１７）を備えた押圧体（１３）と、弾性体で構成され、前記筐体（１１）から延出するコード（９）の周囲を囲んで前記筐体（１１）に設けられ、前記各押し込み部（１７）のうちの少なくとも１つの押し込み部（１７）が押されたときに、一部が前記押された押し込み部（１７）に反力を付与するブッシュ（１５）とを有するスイッチ装置（１）である。
【００１１】
第２の発明は、第１の発明において、前記筐体（１１）内には基板（２５）が設けられており、前記反力を付与する前記ブッシュ（１５）の部位（２１）は、前記基板（２５）と前記押し込み部（１７）との間に設けられているスイッチ装置（１）である。
【００１２】
第３の発明は、第１の発明において、前記筐体（１１）内には基板（２５）が設けられており、前記押圧体（１３）は、第１の押し込み部（１７）と第２の押し込み部（１７）とこれらの押し込み部（１７）の間に設けられているリブ（４９）とを備えており、前記反力を付与する前記ブッシュ（１５）の部位（２１）は、前記基板（２５）と前記押し込み部（１７）との間に設けられており、前記基板（２５）と前記リブ（４９）との間には弾性体（５９）が設けられているスイッチ装置（１）である。
【００１３】
第４の発明は、第１の発明において、前記筐体（１１）内には基板（２５）が設けられており、前記ブッシュ（１５）の先端部側の部位が前記基板（２５）の一部を挟み込んでおり、この挟み込んでいる部位のうちの一方の側の部位が、前記基板（２５）と前記押し込み部（１７）との間に位置して、前記反力を発生する前記ブッシュ（１５）の部位（２１）を構成しているスイッチ装置（１）である。
【発明の効果】
【００１４】
本発明によれば、簡素な構成で押し込み部を押す操作がしやすいスイッチ装置を提供することができるという効果を奏する。
【図面の簡単な説明】
【００１５】
【図１】ヘッドセットの概略構成を示す図である。
【図２】スイッチ装置の概略構成を示す斜視図である。
【図３】スイッチ装置の断面図である。
【図４】変形例に係るスイッチ装置の断面図である。
【図５】別の変形例に係るスイッチ装置の断面図である。
【図６】さらなる別の変形例に係るスイッチ装置の断面図である。
【図７】図３におけるＶＩＩＩ概略矢視図である。
【図８】従来のスイッチ装置の断面図である。
【発明を実施するための形態】
【００１６】
スイッチ装置１は、たとえば、ヘッドセット３に使用される装置であり、ヘッドセット３は、端子部５とイヤホン部７とコード９とマイクロホン（図示せず）が設けられているスイッチ装置１とを備えて構成されている（図１参照）。
【００１７】
スイッチ装置１は、図３で示すように、筐体１１と押圧体（ボタン体）１３とブッシュ１５とを備えている。押圧体１３は、筐体１１に設けられており、少なくとも２つの押し込み部１７を備えている。そして、各押し込み部１７のうちの１つの押し込み部１７がオペレータによって選択されて押されるようになっている。
【００１８】
ブッシュ１５は、弾性体で構成されており、たとえば、筐体１１から延出するコード９を保護するために、コード９の周囲を囲んで筐体１１に設けられている。また、ブッシュ１５の一部２１が各押し込み部１７のうちの少なくとも１つの押し込み部１７（たとえば、押し込み部１７Ａ，１７Ｂ）が、図３Ａに下方に押し込まれたときに、この押し込まれた押し込み部１７に反力（弾性による反力；図３の上方の向かう力）を付与するようになっている。
【００１９】
ブッシュ１５は、筒状の本体部（ブッシュ本体部）１９と反力を付与する部位（前記一部）２１とを備えて構成されている。コード９がブッシュ本体部１９の貫通孔を貫通している。コード９の外径は貫通孔の内径よりも僅かに大きくなっている。コード９がブッシュ本体部１９の貫通孔を貫通している状態では、ブッシュ本体部１９が弾性変形してブッシュ本体部１９の内径が僅かに大きくなり、コード９の外周と貫通孔の内周とが付勢力をもって接触している。
【００２０】
ブッシュ１５は、筐体１１の内部に設置されている。ブッシュ１９が設置されている筐体の部位（筐体１１に形成されている凹部）２３の深さの値は、筒状のブッシュ本体部１９の長さの値とほぼ等しくなっている。筒状（必ずしも円筒である必要はない）のブッシュ本体部１９の外径は、筐体凹部２３の内径よりも僅かに大きくなっている。
【００２１】
コード９がブッシュ本体部１９の貫通孔を貫通しているブッシュ１５を筐体１１に設置した状態では、ブッシュ本体部１９の長手方向の一端部が筐体凹部２３の底面に接触して、ブッシュ本体部１９が筐体凹部２３内に入り込んでいる。また、反力付与部位（反力発生部位）２１がブッシュ本体部１９の長手方向の一端部よりもさらに筐体１１の内側に突出している。また、ブッシュ本体部１９の長手方向の他端部が、筐体凹部２３の入口のところに位置しており、コード９が、ブッシュ本体部１９（ブッシュ１５）から延出している（筐体１１から離れる方向に延出している）。また、ブッシュ本体部１９が弾性変形してブッシュ本体部１９の内径が僅かに小さくなり、ブッシュ本体部１９の外周と筐体凹部２３の内周とが付勢力をもって接触している。
【００２２】
なお、筒状のブッシュ本体部１９の長さの値を、筐体凹部２３の深さの値よりも大きくして、ブッシュ１５を筐体１１に設置した状態で、ブッシュ本体部１９が筐体１１の外に突出するようにしてもよい。
【００２３】
また、スイッチ装置１には、基板２５が設けられており、ブッシュ１５の反力付与部位２１は、少なくとも一部の押し込み部１７（押し込み部１７Ａ，１７Ｃ）と基板２５との間に設けられている。
【００２４】
さらに説明すると、スイッチ装置１の筐体１１と押圧体１３と基板２５とは、ほぼ剛体とみなすことができる硬質の合成樹脂やベークライト等の材料で構成されており、ブッシュ１５は、ゴムや軟質の合成樹脂等の弾性を備えた材料で構成されている。また、筐体１１と押圧体１３とブッシュ１９とは絶縁性を備えている。
【００２５】
スイッチ装置１（筐体１１）の外観は、たとえば、長手方向の両端部が半円状（半円柱状）になっている細長い棒状（四角柱状）に形成されている。コード９は、筐体１１の長手方向の両端部から延出している。したがって、ブッシュ１５も筐体１１の長手方向の両端部のところに設けられている。
【００２６】
筐体１１の長手方向の一端部側（図３では左側）に設けられているブッシュ１５Ａは、ブッシュ本体部１９の長手方向の他端部（図３では左側）が、筐体１１の長手方向の一端部のところに位置し、ブッシュ本体部１９の長手方向の一端部（図３では右側）が、筐体１１の長手方向の中央部側に位置し、反力付与部位２１が、ブッシュ本体部１９の長手方向の一端部よりも、筐体１１の長手方向でさらに中央側（図３ではさらに右側）に位置している。
【００２７】
同様にして、筐体１１の長手方向の他端部側（図３では右側）に設けられているブッシュ１５Ｂは、ブッシュ本体部１９の長手方向の他端部（図３では右側）が、筐体１１の長手方向の他端部のところに位置し、ブッシュ本体部１９の長手方向の一端部（図３では左側）が、筐体１１の長手方向の中央部側に位置し、反力付与部位２１が、ブッシュ本体部１９の長手方向の一端部よりも、筐体１１の長手方向でより中央側（図３ではさらに左側）に位置している。
【００２８】
筐体１１は、ベース体２７とカバー体２９とを備えて構成されている。
【００２９】
ベース体２７は、細長い枡状に形成されている。カバー体２９も細長い枡状に形成されている。なお、カバー体２９には、細長い貫通孔３１が形成されている。この貫通孔３１は、貫通孔３１の長手方向がカバー体２９（筐体１１）の長手方向と一致し、貫通孔３１の幅方向がカバー体２９（筐体１１）の幅方向と一致するようにして、枡状のカバー体２９の底部の中央に形成されている。なお、ベース体２７とカバー体２９の長手方向の両端部には、ブッシュを設置するために凹み（筐体の凹部２３を形成する凹み）が形成されている。
【００３０】
基板２５は細長い矩形な平板状に形成されている。押圧体１３も細長い板状（平板ではなくて若干曲がっている板状）に形成されている。
【００３１】
そして、ベース体２７に、基板２５を設置し、基板２５から延出しブッシュ１９が設けられているコード９を設置し、さらに、押圧体１３を設置した後、ベース体２７の開口部を塞ぐようにカバー体２９をベース体２７に一体的に設置することで、スイッチ装置１が組み立つようになっている。
【００３２】
スイッチ装置１では、ベース体２７の長手方向とカバー体２９の長手方向と基板２５の長手方向と押圧体１３の長手方向とがお互いに一致しており、ベース体２７の幅方向とカバー体２９の幅方向と基板２５の幅方向と押圧体１３の幅方向とがお互いに一致しており、ベース体２７の高さ（厚さ）方向とカバー体２９の高さ（厚さ）と基板２５の厚さ方向と押圧体１３の厚さ方向とがお互いに一致している。
【００３３】
上記組立により、ベース体２７と基板２５とブッシュ１５とは一体化するが、押圧体１３は、スイッチ装置１での押し込みのために、ベース体２７と基板２５とブッシュ１５とカバー体２９とに対して僅かに動くようになっている。ただし、押圧体１３が、ベース体２７とカバー体２９等とから分離してしまうことは無い。
【００３４】
ここで、スイッチ装置１を構成しているベース体２７等の各構成部品の位置関係について詳しく説明する。説明の便宜のために、スイッチ装置１をこの長手方向で７つの部位（第１の長手方向部位〜第７の長手方向部位）３３，３５，３７，３９，４１，４３，４５に分ける。第１の長手方向部位〜第７の長手方向部位３３〜４５は、スイッチ装置１（筐体１１）の長手方向の一端部（図３では左側の端部）から他端部（図３では右側の端部）に向かって、この順に並んでいる。
【００３５】
第１の長手方向部位３３では、スイッチ装置１の幅方向の中央部におけるスイッチ装置１の高さ方向で、ベース体２７とブッシュ本体部１９とカバー体２９とが、この順に並んでいる。また、スイッチ装置１の長手方向に対して直交する平面による断面では、筒状のブッシュ本体部１９の周りをベース体２７とカバー体２９とが囲んでいる。
【００３６】
第２の長手方向部位３５では、スイッチ装置１の幅方向の中央部におけるスイッチ装置１の高さ方向で、ベース体２７とブッシュ本体部１９と押圧体１３とが、この順に並んでいる。また、スイッチ装置１の長手方向に対して直交する平面による断面では、筒状のブッシュ本体部１９の周りをベース体２７とカバー体２９と押圧体１３とが囲んでいる。
【００３７】
第３の長手方向部位３７では、スイッチ装置１の幅方向の中央部におけるスイッチ装置１の高さ方向で、ベース体２７と基板２５とブッシュ１５の反力付与部位２１と押圧体１３とが、この順に並んでいる。また、スイッチ装置１の長手方向に対して直交する平面による断面では、基板２５の厚さ方向の一方の面（押圧体１３側の面）に反力付与部位２１が接触しており、基板２５と反力付与部位２１の周りをベース体２７と押圧体１３とカバー体２９とが囲んでいる。
【００３８】
第４の長手方向部位３９では、スイッチ装置１の幅方向の中央部におけるスイッチ装置１の高さ方向で、ベース体２７と基板２５と押圧体１３とが、この順に並んでいる。また、スイッチ装置１の長手方向に対して直交する平面による断面では、基板２５の周りをベース体２７とカバー体２９と押圧体１３とが囲んでいる。
【００３９】
第５の長手方向部位４１では、第３の長手方向部位３７と同様にして、ベース体２７と基板２５とブッシュ１５の反力付与部位２１と押圧体１３とがこの順に並んでおり、第６の長手方向部位４３では、第２の長手方向部位３５と同様にして、ベース体２７とブッシュ本体部１９と押圧体１３とがこの順に並んでおり、第７の長手方向部位４５では、第１の長手方向部位３３と同様にして、ベース体２７とブッシュ本体部１９とカバー体２９とがこの順に並んでいる。
【００４０】
また、スイッチ装置１では、押圧体１３がカバー体２９の貫通孔３１のところで露出しており、押圧体１３の押し込みができるようになっている。
【００４１】
なお、すでに理解されるように、スイッチ装置１（筐体１１、押圧体１３）は、スイッチ装置１の長手方向では、スイッチ装置１の中心を通りスイッチ装置１の長手方向に対して直交している平面に対してほぼ対称に形成されており、スイッチ装置１の幅方向では、スイッチ装置１の中心を通りスイッチ装置１の幅方向に対して直交している平面に対してほぼ対称に形成されている。
【００４２】
ところで、押圧体１３は、細長い板状の押圧体本体部４７と、３つの押し込み部１７（第１の押しこみ部１７Ａ、第２の押し込み部１７Ｂ、第３の押し込み部１７Ｃ）と、２つのリブ４９（第１のリブ４９Ａ、第２のリブ４９Ｂ）とを備えて構成されている。
【００４３】
第１の押し込み部１７Ａは、押圧体本体部４７（押圧体１３）の長手方向で押圧体１３の一端部側（図３では左側）に設けられており、第２の押し込み部１７Ｂは、押圧体本体部４７の長手方向で押圧体１３の中央に設けられており、第３の押し込み部１７Ｃは、押圧体本体部４７の長手方向で押圧体１３の他端部側（図３では右側）に設けられている。
【００４４】
第１のリブ４９Ａは、押圧体本体部４７の厚さ方向の一方の面（図３では下面）から起立（図３では下方に起立）しており、押圧体本体部４７の長手方向では、第１の押し込み部１７Ａと第２の押し込み部１７Ｂとの間に位置している。第２のリブ４９Ｂは、押圧体本体部４７の厚さ方向の一方の面から起立しており、押圧体本体部４７の長手方向では、第２の押し込み部１７Ｂと第３の押し込み部１７Ｃとの間に位置している。
【００４５】
第１の押し込み部１７Ａは、押圧面５１と押圧部（押圧突起）５３とで構成されている。押圧面５１は、押圧体本体部４７の厚さ方向の他方の面（リブ４９とは反対側の面；図３では上面）に設けられており、押圧部５３は、押圧体本体部４７の厚さ方向の一方の面（リブ４９側の面）で、押圧体本体部４７から突出している。
【００４６】
第２の押し込み部１７Ｂや第３の押し込み部１７Ｃも、第１の押し込み部１７Ａと同様な押圧面と押圧部とで構成されている。
【００４７】
第１の押し込み部１７Ａの第１の押圧部５３Ａは、基端部側が円錐台状に形成されており、この円錐台の頂上部に短い円柱状の中間部が形成されており、先端部が半球状になっている。第３の押し込み部１７Ｃの第３の押圧部５３Ｃは、第１の押圧部５３Ａと同形状になっている。第２の押し込み部１７Ｂの第２の押圧部５３Ｂは、先端が半球状である円柱状になっている。第２の押圧部５３Ｂの円柱の外径は、第１の押圧部５３Ａの円柱部分の外径とほぼ等しくなっている。第１の押圧部５３Ａの突出高さは、第２の押圧部５３Ｂの突出高さとほぼ等しくなっている。
【００４８】
ブッシュ１５の反力付与部位２１は、平板状に形成されている。反力付与部位２１の中央部には、反力付与部位２１の厚さ方向に貫通している円形状の貫通孔５５が形成されている。この貫通孔５５の内径は、第１の押圧部５３Ａ（第３の押圧部５３Ｃ）の円柱状部の外径よりも大きく、第１の押圧部５３Ａ（第３の押圧部５３Ｃ）の円錐台の底面の外径よりも小さくなっている。
【００４９】
そして、常態（各押し込み部１７が押されていない状態）では、押圧体１３のリブ４９が基板２５に接触しており、各押圧部５３と基板２５との間は、所定の間隙が存在している。この間隙にところにスイッチ部（たとえば、特開２００４−９５３２３号公報に記載のように、ダイヤフラムを備えて構成されているスイッチ部）５７が設けられている。
【００５０】
ここで、押し込み部１７が押された場合におけるスイッチ装置１の動作について説明する。
【００５１】
常態において、各スイッチ部５７はオフになっており、また、ブッシュ１５の反力付与部位２１の貫通孔５５に、第１の押圧部５３Ａ（第３の押圧部５３Ｃ）の先端部側部位（円錐台の先端部側と円柱状部と半球状部）とが入り込んでおり、反力付与部位２１の貫通孔５５の円形状の開口部が、第１の押圧部５３Ａ（第３の押圧部５３Ｃ）の円錐台の斜面の一部に接触している。この場合、反力付与部位２１と第１の押圧部５３Ａ（第３の押圧部５３Ｃ）とがお互いが単に接触している構成であるが、反力付与部位２１が第１の押圧部５３Ａ（第３の押圧部５３Ｃ）を図３の上側に（基板２５から離れる側）に付勢している構成であってもよい。
【００５２】
第２の押し込み部１７Ｂが押された場合、各リブ４９（４９Ａ，４９Ｂ）の間で押圧体１３が両持ち梁のごとく弾性変形して第２の押し込み部１７Ｂ（第２の押圧部５３Ｂ）が基板２５側に移動する。この移動によって、スイッチ部（第２の押圧部５３Ｂと基板２５との間に設けられているスイッチ部；第２のスイッチ部）５７が押圧されて、第２のスイッチ部５７がオン状態になる。
【００５３】
第１の押し込み部１７Ａが押された場合、リブ４９Ａよりも端部側（図３では左側）に存在している押圧体１３の部位が片持ち梁のごとく弾性変形して第１の押し込み部１７Ａ（第１の押圧部５３Ａ）が基板２５側に移動する。この移動によって、反力付与部位２１とスイッチ部（第１の押圧部５３Ａと基板２５との間に設けられているスイッチ部；第１のスイッチ部）５７が押圧されて、反力付与部位２１が第１の押圧部５３Ａに反力（図３の上方向の力、押圧力とは反対向きの力）を与えるとともに、第１のスイッチ部５７がオン状態になる。
【００５４】
第３の押し込み部１７Ｃが押された場合も、第１の押し込み部１７Ａが押された場合と同様である。なお、既に理解されているように、スイッチ装置１の各押し込み部１７は、それぞれが、独立して押されて使用されるのである。
【００５５】
スイッチ装置１によれば、１つの押圧体１３を備えて３つのスイッチ部分を構成しており、また、ブッシュ１５が反力付与部位２１を備えているので、押し込み部１７を押す操作がしやすくなる。
【００５６】
すなわち、３つのスイッチの部分のそれぞれが、お互いに独立した別体になっているわけではなく、１つの押圧体１３に３つの押し込み部１７が設けられて、これらの押し込み部１７を選択して押す構成であるので、スイッチ装置１の構成部品が削減されスイッチ装置１の構成が簡素になっている。
【００５７】
また、第１の押し込み部１７Ａや第３の押し込み部１７Ｃが押されたときに、反力付与部位２１が反力を発生するので、スイッチ装置１の両端部側に存在している第１の押し込み部１７Ａや第３の押し込み部１７Ｃのクリック感と、スイッチ装置１の中央に位置している第２の押し込み部１７Ｂのクリック感とがお互いにほぼ等しくなり、押し込み部１７を押す操作がしやすくなっている。
【００５８】
さらに、反力付与部位２１を設けたことで、スイッチ装置１の中央に位置している第２の押し込み部１７Ｂを押したときに、誤って、第１の押し込み部１７Ａや第３の押し込み部１７Ｂを押し込んでしまう等の弊害が回避される。
【００５９】
また、ブッシュ１５を延長して、反力付与部位２１を形成しているので、スイッチ装置１に別途反力付与部位を設ける必要がなく、部品点数が削減され、スイッチ装置１の構成が簡素化されている。つまり、ブッシュ１９そのものは従来から用いている部品であるので、スイッチ装置１を構成するにあたり、特別な部品を用いることはなく、部品点数の増加やコストアップをしないで３つボタン式の構造を実現することができる。
【００６０】
また、反力付与部位２１が設けられていることで、第１の押し込み部１７Ａや第３の押し込み部１７Ｃが押されたときに、過大な力で、スイッチ部５７や基板２５が押圧されることがなくなり、摩耗による劣化でスイッチ装置１のクリック感が失われたり、スイッチ装置１の基板２５等に衝撃が伝わるという弊害を回避することができる。
【００６１】
また、ブッシュ１５が絶縁性を備えたもので構成されているので、外部からの静電気が基板２５に落ちて基板２５の電子部品が壊れることを防ぐことができる。
【００６２】
また、スイッチ装置１によれば、反力付与部位２１が基板２５に厚さ方向の一方の面の側にのみ設けられているので、スイッチ装置１の組立が簡素化されている。
【００６３】
ここで、スイッチ装置１の変形例であるスイッチ装置１ａについて、図４を参照しつつ説明する。
【００６４】
スイッチ装置１ａは、ブッシュ１５の反力付与部位２１をリブ４９のところまで延長した点が、スイッチ装置１と異なり、その他の点は、スイッチ装置１とほぼ同様に構成されてほぼ同様の効果を奏する。
【００６５】
すなわち、スイッチ装置１ａでは、基板２５とリブ４９との間に弾性体５９が設けられている。弾性体５９は、たとえば、ブッシュ１５の反力付与部位２１を筐体１１の中央側に延長することで形成されている。なお、弾性体５９は、基板２５の厚さ方向の一方の面（リブ４９側の面）にのみ設けられている。
【００６６】
スイッチ装置１ａによれば、基板２５とリブ４９との間に弾性体５９が設けられているので、各押し込み部１７が押されたときに、弾性体５９が弾性変形し、基板２５等における磨耗発生や基板２５等での衝撃の発生を一層回避することができる。
【００６７】
また、スイッチ装置１ａによれば、弾性体５９が、ブッシュ１５の反力付与部位２１を延長することで形成されているので、スイッチ装置１ａの構成が簡素化されている。
【００６８】
続いて、スイッチ装置１の別の変形例であるスイッチ装置１ｂについて、図５を参照しつつ説明する。
【００６９】
スイッチ装置１ｂは、基板２５の厚さ方向の両側に、ブッシュ１５の反力付与部位２１が設けられている点が、スイッチ装置１と異なり、その他の点は、スイッチ装置１とほぼ同様に構成されてほぼ同様の効果を奏する。
【００７０】
すなわち、スイッチ装置１ｂでは、ブッシュ１５の先端部（筐体１１の中心側に位置している端部）側の部位が基板２５の一部（長手方向の両端部）を挟み込んでおり（基板２５の厚さ方向の両側から挟み込んでおり）、この挟み込んでいる部位のうちの一方の側の部位（基板２５を間にして押圧体１３側に位置している部位）が、基板２５と押し込み部１７Ａ（１７Ｂ）との間に位置して、反力付与部位２１を構成している。
【００７１】
また、スイッチ装置１ｂでは、ベース体２７に設けられている突起（押圧体１３の押圧部５３Ａと同様に形成された突起）６１が、反力付与部位２１の貫通孔５５に挿入されて、ブッシュ１５を支持している。
【００７２】
なお、図５で示すスイッチ装置１ｂにおいて、反力付与部位２１を、図４に示す場合と同様にして、リブ４９のところまで延長してもよい。
【００７３】
続いて、スイッチ装置１のさらなる別の変形例であるスイッチ装置１ｃについて、図６を参照しつつ説明する。
【００７４】
スイッチ装置１ｃは、基板２５が削除されている点がスイッチ装置１（スイッチ装置１ｂ）と異なり、その他の点は、スイッチ装置１（スイッチ装置１ｂ）とほぼ同様に構成されてほぼ同様の効果を奏する。
【００７５】
なお、上記説明では、ヘッドセット３に使用されるスイッチ装置を例に掲げて説明したが、スイッチ装置を他の機器（たとえば、コントローラ付きのヘッドホン）に使用してもよい。
【符号の説明】
【００７６】
１  スイッチ装置
９  コード
１１  筐体
１３  押圧体
１５  ブッシュ
１７  押し込み部
２１  反力付与部位
２５  基板
４９  リブ
５９  弾性体
【図１】
2012113978.tif 000003
【図２】
2012113978.tif 000004
【図３】
2012113978.tif 000005
【図４】
2012113978.tif 000006
【図５】
2012113978.tif 000007
【図６】
2012113978.tif 000008
【図７】
2012113978.tif 000009
【図８】
2012113978.tif 000010